【手続補正書】
【提出日】平成17年9月22日(2005.9.22)
【手続補正１】
【補正対象書類名】明細書
【補正対象項目名】発明の名称
【補正方法】変更
【補正の内容】
【発明の名称】送信装置および方法、受信装置および方法、並びに記録媒体
【手続補正２】
【補正対象書類名】明細書
【補正対象項目名】特許請求の範囲
【補正方法】変更
【補正の内容】
【特許請求の範囲】
【請求項１】
デジタル信号を送信する送信装置において、
送信信号を分割して、分割された信号に標識を付加する付加手段と、
各々の前記分割された信号の視聴の関係を示す情報を生成する生成手段と、
前記付加手段で標識が付加された前記分割された信号と、前記生成手段により生成された前記情報を送信する送信手段とを備え、
前記生成手段により生成された情報は、対象となる前記分割された信号の使用時刻および速度情報を含み、
対象となる前記分割された信号は、前記使用時刻よりも先に送信され、
前記送信手段は、前記生成手段により生成された情報を、対象となる前記分割されたコンテンツとともに送信するか、あるいは、対象となる前記分割されたコンテンツが先に送信されている場合には別個に送信する
ことを特徴とする送信装置。
【請求項２】
デジタル信号を送信する送信装置の送信方法において、
送信信号を分割して、分割された信号に標識を付加する付加ステップと、
各々の前記分割された信号の視聴の関係を示す情報を生成する生成ステップと、
前記付加ステップで標識が付加された前記分割された信号と、前記生成ステップで生成された前記情報を送信する送信ステップとを含み、
前記生成ステップの処理で生成された情報は、対象となる前記分割された信号の使用時刻および速度情報を含み、
対象となる前記分割された信号は、前記使用時刻よりも先に送信され、
前記送信ステップは、前記生成ステップの処理で生成された情報を、対象となる前記分割されたコンテンツとともに送信するか、あるいは、対象となる前記分割されたコンテンツが先に送信されている場合には別個に送信する
ことを特徴とする送信方法。
【請求項３】
デジタル信号を送信するためのプログラムであって、
送信信号を分割して、分割された信号に標識を付加する付加ステップと、
各々の前記分割された信号の視聴の関係を示す情報を生成する生成ステップと、
前記付加ステップで標識が付加された前記分割された信号と、前記生成ステップで生成された前記情報を送信する送信ステップとを含む処理をコンピュータに実行させ、
前記生成ステップの処理で生成された情報は、対象となる前記分割された信号の使用時刻および速度情報を含み、
対象となる前記分割された信号は、前記使用時刻よりも先に送信され、
前記送信ステップは、前記生成ステップの処理で生成された情報を、対象となる前記分割されたコンテンツとともに送信するか、あるいは、対象となる前記分割されたコンテンツが先に送信されている場合には別個に送信する
ことを特徴とするプログラムが記録されている記録媒体。
【請求項４】
デジタル信号を受信する受信装置において、
分割された信号と、前記分割された信号の視聴の関係を示す情報を受信する受信手段と、
前記受信手段により受信された前記分割された信号と、前記情報を蓄積する蓄積手段と、
前記蓄積手段で蓄積された前記分割された信号を、前記情報に基づいて再構築する構築手段と
を備えることを特徴とする受信装置。
【請求項５】
デジタル信号を受信する受信装置の受信方法において、
分割された信号と、前記分割された信号の視聴の関係を示す情報を受信する受信ステップと、
前記受信ステップで受信された前記分割された信号と、前記情報を蓄積する蓄積ステップと、
前記蓄積ステップで蓄積された前記分割された信号を、前記情報に基づいて再構築する構築ステップと
を含むことを特徴とする受信方法。
【請求項６】
デジタル信号を受信するためのプログラムであって、
分割された信号と、前記分割された信号の視聴の関係を示す情報を受信する受信ステップと、
前記受信ステップで受信された前記分割された信号と、前記情報を蓄積する蓄積ステップと、
前記蓄積ステップで蓄積された前記分割された信号を、前記情報に基づいて再構築する構築ステップと
を含む処理をコンピュータに実行させることを特徴とするプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、送信装置および方法、受信装置および方法、並びに記録媒体に関し、特に、送信データを分割して、分割された信号の視聴の関係を示す情報を作成して送信するようにすることにより、受信装置が受信したデータは、送信装置が再度送信することなく、受信装置で処理することができるようにした送信装置および方法、受信装置および方法、並びに記録媒体に関する。
【手続補正４】
【補正対象書類名】明細書
【補正対象項目名】０００６
【補正方法】変更
【補正の内容】
【０００６】
【課題を解決するための手段】
本発明の送信装置は、デジタル信号を送信する送信装置において、送信信号を分割して、分割された信号に標識を付加する付加手段と、各々の分割された信号の視聴の関係を示す情報を生成する生成手段と、付加手段で標識が付加された分割された信号と、生成手段により生成された情報を送信する送信手段とを備え、生成手段により生成された情報は、対象となる分割された信号の使用時刻および速度情報を含み、対象となる分割された信号は、使用時刻よりも先に送信され、送信手段は、生成手段により生成された情報を、対象となる分割されたコンテンツとともに送信するか、あるいは、対象となる分割されたコンテンツが先に送信されている場合には別個に送信することを特徴とする。
【手続補正５】
【補正対象書類名】明細書
【補正対象項目名】０００７
【補正方法】変更
【補正の内容】
【０００７】
本発明の送信方法は、デジタル信号を送信する送信装置の送信方法において、送信信号を分割して、分割された信号に標識を付加する付加ステップと、各々の分割された信号の視聴の関係を示す情報を生成する生成ステップと、付加ステップで標識が付加された分割された信号と、生成ステップで生成された情報を送信する送信ステップとを含み、生成ステップの処理で生成された情報は、対象となる分割された信号の使用時刻および速度情報を含み、対象となる分割された信号は、使用時刻よりも先に送信され、送信ステップは、生成ステップの処理で生成された情報を、対象となる分割されたコンテンツとともに送信するか、あるいは、対象となる分割されたコンテンツが先に送信されている場合には別個に送信することを特徴とする。
【手続補正６】
【補正対象書類名】明細書
【補正対象項目名】０００８
【補正方法】変更
【補正の内容】
【０００８】
本発明の第１の記録媒体は、デジタル信号を送信するためのプログラムであって、送信信号を分割して、分割された信号に標識を付加する付加ステップと、各々の分割された信号の視聴の関係を示す情報を生成する生成ステップと、付加ステップで標識が付加された分割された信号と、生成ステップで生成された情報を送信する送信ステップとを含む処理をコンピュータに実行させ、生成ステップの処理で生成された情報は、対象となる分割された信号の使用時刻および速度情報を含み、対象となる分割された信号は、使用時刻よりも先に送信され、送信ステップは、生成ステップの処理で生成された情報を、対象となる分割されたコンテンツとともに送信するか、あるいは、対象となる分割されたコンテンツが先に送信されている場合には別個に送信することを特徴とするプログラムが記録されている。
【手続補正７】
【補正対象書類名】明細書
【補正対象項目名】０００９
【補正方法】変更
【補正の内容】
【０００９】
本発明の受信装置は、デジタル信号を受信する受信装置において、分割された信号と、分割された信号の視聴の関係を示す情報を受信する受信手段と、受信手段により受信された分割された信号と、情報を蓄積する蓄積手段と、蓄積手段で蓄積された分割された信号を、情報に基づいて再構築する構築手段とを備えることを特徴とする。
【手続補正８】
【補正対象書類名】明細書
【補正対象項目名】００１０
【補正方法】変更
【補正の内容】
【００１０】
本発明の受信方法は、デジタル信号を受信する受信装置の受信方法において、分割された信号と、分割された信号の視聴の関係を示す情報を受信する受信ステップと、受信ステップで受信された分割された信号と、情報を蓄積する蓄積ステップと、蓄積ステップで蓄積された分割された信号を、情報に基づいて再構築する構築ステップとを含むことを特徴とする。
【手続補正９】
【補正対象書類名】明細書
【補正対象項目名】００１１
【補正方法】変更
【補正の内容】
【００１１】
本発明の第２の記録媒体は、デジタル信号を受信するためのプログラムであって、分割された信号と、分割された信号の視聴の関係を示す情報を受信する受信ステップと、受信ステップで受信された分割された信号と、情報を蓄積する蓄積ステップと、蓄積ステップで蓄積された分割された信号を、情報に基づいて再構築する構築ステップとを含む処理をコンピュータに実行させることを特徴とするプログラムが記録されている。
【手続補正１０】
【補正対象書類名】明細書
【補正対象項目名】００１２
【補正方法】変更
【補正の内容】
【００１２】
本発明の送信装置、送信方法、および第１の記録媒体においては、送信信号が分割され、分割された信号に標識が付加され、分割された信号の視聴の関係を示す情報が生成されて、分割された信号と情報が送信される。
【手続補正１１】
【補正対象書類名】明細書
【補正対象項目名】００１３
【補正方法】変更
【補正の内容】
【００１３】
本発明の受信装置、受信方法、および第２の記録媒体においては、分割された信号と、分割された信号の視聴の関係を示す情報が受信され、受信された分割された信号と、情報が蓄積され、蓄積された分割された信号が、情報に基づいて再構築される。
【手続補正１２】
【補正対象書類名】明細書
【補正対象項目名】００１５
【補正方法】変更
【補正の内容】
【００１５】
すなわち、本発明の送信装置は、デジタル信号を送信する送信装置において、送信信号を分割して、分割された信号に標識を付加する付加手段（例えば、図２のデータ構成部１３）と、各々の分割された信号の視聴の関係を示す情報を生成する生成手段（例えば、図２の制御用副情報生成部１２）と、付加手段で標識が付加された分割された信号と、生成手段により生成された情報を送信する送信手段（例えば、図２の伝送部１４）とを備える。
【手続補正１３】
【補正対象書類名】明細書
【補正対象項目名】００１６
【補正方法】変更
【補正の内容】
【００１６】
本発明の受信装置は、デジタル信号を受信する受信装置において、分割された信号と、分割された信号の視聴の関係を示す情報を受信する受信手段（例えば、図４の受信部２１）と、受信手段により受信された分割された信号と、情報を蓄積する蓄積手段（例えば、図４のデータベース２２）と、蓄積手段で蓄積された分割された信号を、情報に基づいて再構築する構築手段（例えば、図４の読み出し部２４）とを備える。
【手続補正１４】
【補正対象書類名】明細書
【補正対象項目名】００３８
【補正方法】変更
【補正の内容】
【００３８】
【発明の効果】
以上のように、本発明の送信装置、送信方法、および第１の記録媒体によれば、データ送信量を削減することが可能となり、デジタル通信の帯域を有効利用することができる。
【手続補正１５】
【補正対象書類名】明細書
【補正対象項目名】００３９
【補正方法】変更
【補正の内容】
【００３９】
本発明の受信装置、受信方法、および第２の記録媒体によれば、蓄積されたコンテンツを容易に再利用することができる。